(57)【要約】【課題】      位牌または骨つぼに故人の故事来歴等を表示すること、それも小さい面積に多数の文字等を表示できるようにすること、これが発明が解決しようとする課題である。【解決手段】  故人の故事来歴等を小面積に表示するには、読み取りの速さと正確さ、操作性の高さなどの特長から広く普及しているバーコードがあるが、バーコードは横方向にしか情報を持たないので、縦横に情報をもつ２次元コードであれば格納できる情報量が多く、数字だけでなく英字や漢字のデータも格納できるものであり、位牌または骨つぼに故人の故事来歴等を格納した当該２次元コードを付すること、これが問題を解決するための手段である。【選択図】図１
2010264202.tif 000002
【特許請求の範囲】
【請求項１】
故人の故事来歴を詳細に表現すべく、適所にマトリックス方式の２次元コードを付してなる位牌または骨つぼ。
【請求項２】
前記位牌または骨つぼがセラミックスであることを特徴とした請求項１の２次元コードを付してなる位牌または骨つぼ。
【請求項３】
前記２次元コードをセラミックス板に印刷し、当該板を位牌または骨つぼに固着してなる請求項１の２次元コードを付してなる位牌または骨つぼ。
【請求項４】
前記２次元コードを、２次元コードの模様内に家紋を入れてデザインした２次元コードとしてなる請求項１及び請求項２及び請求項３の２次元コードを付してなる位牌または骨つぼ。
【請求項５】
前記２次元コードを、故人の写真と共にセラミックス板に印刷したことを特徴とし、当該板を位牌または骨つぼに固着してなる請求項１及び請求項３の２次元コードを付してなる位牌または骨つぼ。
【発明の詳細な説明】
【技術分野】
【０００１】  本発明は、故人または家系の故事来歴等を２次元コードを利用して半永久に残すことを目的とした位牌または骨つぼに関するものである。
【背景技術】
【０００２】  従来より位牌には戒名が記されているだけで、故人の来歴等は個人墓であれば拝み石の側面とか背面に刻設されており、○○家の墓等の集合墓には霊標に刻設されているが、骨つぼには一般的に何の表示もされておらず、古いものになれば誰の骨つぼかの判別も難しいのは周知である。【０００３】  一方、拝み石とか霊標に刻設するにも、面積、即ち文字数の制限という問題もあり、特に最近は多い○○家の墓というような集合墓の霊標に刻設する場合には、多くても故人の俗名、没年月日、家族との関係程度しか刻設されていないのが現状である。【０００４】  最近では情報開示に２次元コードが利用されており、その中でもマトリックス方式の２次元コード、例えばＱＲコード（株式会社デンソーウェーブ商標）が広く利用されていることは周知である。当該ＱＲコードであれば漢字及びひらがなで１．８１７文字を記録することが出来る。またこのＱＲコードについては、特許権者のデンソーウェーブは、規格化された技術に対し特許権を行使しないと宣言している。
【発明の開示】
【発明が解決しようとする課題】
【０００５】  位牌または骨つぼに故人の故事来歴等を表示すること、それも小さい面積に多数の文字等を表示できるようにすること、これが発明が解決しようとする課題である。
【課題を解決するための手段】
【０００６】  故人の故事来歴等を小面積に表示するには、読み取りの速さと正確さ、操作性の高さなどの特長から広く普及しているバーコードがあるが、バーコードは横方向にしか情報を持たないので、縦横に情報をもつ２次元コードであれば格納できる情報量が多く、数字だけでなく英字や漢字のデータも格納できるものであり、位牌または骨つぼに故人の故事来歴等を格納した当該２次元コードを付すること、これが問題を解決するための手段である。
【発明の効果】
【０００７】  故人の故事来歴を詳細に表現すべく、適所にマトリックス方式の２次元コードを付してなる位牌または骨つぼであり、更には、前記位牌または骨つぼがセラミックスであることを特徴とした２次元コードを付してなる位牌または骨つぼであり、更には、前記２次元コードをセラミックス板に印刷し、当該板を位牌または骨つぼに固着してなる２次元コードを付してなる位牌または骨つぼであり、更には、前記２次元コードを、２次元コードの模様内に家紋を入れてデザインした２次元コードとしてなる２次元コードを付してなる位牌または骨つぼであり、更には、前記２次元コードを、故人の写真と共にセラミックス板に印刷したことを特徴とし、当該板を位牌または骨つぼに固着してなる２次元コードを付してなる位牌または骨つぼであるから、従来は故人の情報は、個人墓にあっては墓の側面または背面、或いは集合墓にあっては霊標に俗名、没年月日等が刻設されている程度で、それ以上の故事来歴等は刻設する場所の面積等の問題もあって詳細を表示することはできなかったが、本発明にあっては、格納できる情報量が多く、数字だけでなく英字や漢字のデータも格納できる２次元コード、即ち縦横に情報をもつＱＲコードを位牌または骨つぼに付しているので、ＱＲコードは漢字、ひらがなで１．８１７文字が格納でき、故人の故事来歴は詳細に表示できる、また当該ＱＲコードの読み取りも現在ではほとんどの携帯電話で可能であり、情報は判永久的に保存でき、しかも容易に表示することが出来る。位牌または骨つぼは磁器（セラミックス）で製作されており、その表面にＱＲコードをシルクスクリーン印刷や４色分解フイルムにより印刷した後、ガラス質で表面を覆い、８００〜１２５０℃の高温で焼成しているので、磁器と印刷面が非常に硬いガラス質に覆われ、高耐久性が得られる。ＱＲコードを磁器板とした場合には軽量強化磁器としているので焼成時の変形も少なく強度も得られる。またＱＲコードについても、将来は更に情報量が増えたものが開発されるであろうし、故人の故事来歴を表示するには極めて顕著なる効果を有するものである。
【発明を実施するための最良の形態】
【０００８】  故人の故事来歴を詳細に表現すべく、適所にマトリックス方式の２次元コードを付してなる位牌または骨つぼであり、更には、前記位牌または骨つぼがセラミックスであることを特徴とした請求項１の２次元コードを付してなる位牌または骨つぼであり、更には、前記２次元コードをセラミックス板に印刷し、当該板を位牌または骨つぼに固着してなる請求項１の２次元コードを付してなる位牌または骨つぼであり、更には、前記２次元コードを、２次元コードの模様内に家紋を入れてデザインした２次元コードとしてなる請求項１及び請求項２及び請求項３の２次元コードを付してなる位牌または骨つぼであり、更には、前記２次元コードを、故人の写真と共にセラミックス板に印刷したことを特徴とし、当該板を位牌または骨つぼに固着してなる請求項１及び請求項３の２次元コードを付してなる位牌または骨つぼを呈せんとするものである。
【実施例１】
【０００９】  位牌２はセラミックスで成形されている。ここで言うセラミックスは陶磁器全般をさしているが、本実施例においては磁器製品としている。当該位牌２の背面に、故人の故事来歴等を詳細に格納したマトリックス方式の２次元コード（本実施例においてはＱＲコードであり、以後の説明においてはＱＲコードという）を印刷している。印刷方法としては、位牌２の背面にＱＲコード１をシルクスクリーン印刷や４色分解フイルムにより印刷した後、ガラス質で表面を覆い、８００〜１２５０℃の高温で焼成している。２次元コード１に格納するのは故事来歴だけでなく、過去帳には記されていないその家の家系、また故人の法要の日にち、または般若心経等の経典を格納してもよい。【００１０】  位牌２には、戒名を記した薄い板を何枚も収納する操出位牌があるが、この際は、操出の板の表面に戒名を記し、背面にＱＲコード１を印刷している。当該操出の板は変形を嫌うために、焼成時の変形が少なく、しかも強度の得られる軽量強化磁器製としている。印刷方法としては、操出の板の背面にＱＲコード１をシルクスクリーン印刷や４色分解フイルムにより印刷した後、ガラス質で表面を覆い、８００〜１２５０℃の高温で焼成している。【００１１】  骨つぼ３は磁器製品とし、当該骨つぼ３の側面適所に平面部を設け、当該平面部にＱＲコード１を印刷している。印刷方法としては、骨つぼ３の側面平面部にＱＲコード１をシルクスクリーン印刷や４色分解フイルムにより印刷した後、ガラス質で表面を覆い、８００〜１２５０℃の高温で焼成している。本実施例においては骨つぼ３の側面適所にＱＲコードを付しているが、側面に限定を受けるものではなく、骨つぼの底とか蓋に付してもよいが、いずれにしても、ＱＲコード１を正確に印刷するためには平面部を設ける必要がある。また骨つぼの形状、大きさに限定は受けない。【００１２】  ＱＲコード１として、ＱＲコード１の模様の中に家紋６を入れてデザインしている。家紋６は寺紋または宗紋としてもよく、また家紋６以外に、例えば故人が野球を好んでいた人であれば、ボールとバットを、サッカーであればボールを図案化してデザインしてもよく、故人の履歴に伴って＋デザインされる要素は多いものである。
【実施例２】
【００１３】  セラミックスからなる板４にＱＲコード１をシルクスクリーン印刷や４色分解フイルムにより印刷した後、ガラス質で表面を覆い、８００〜１２５０℃の高温で焼成している。当該板４を位牌２の背面または骨つぼ３の側面適所に設けた平面部に固着している。この場合の位牌２は従来の木製の位牌でもよい。当該板４を霊標に刻設した故人の戒名の上部に固着することも可能である。固着方法については接着を含め限定を受けるものではない。セラミックスとしては本実施例においては軽量強化磁器を使用している。
【実施例３】
【００１４】  セラミックスからなる板５に故人の写真と共にＱＲコード１をシルクスクリーン印刷や４色分解フイルムにより印刷した後、ガラス質で表面を覆い、８００〜１２５０℃の高温で焼成している。当該板５を位牌２の背面または骨つぼ３の側面適所に設けた平面部に固着している。板５を大きくして、印刷する写真も大きくし、当該板５を墓または供養塔または納骨堂に固着することも可能である。固着方法については接着を含め限定を受けるものではない。セラミックスとしては本実施例においては軽量強化磁器を使用している。
【産業上の利用可能性】
【００１５】  故人の故事来歴を詳細に表現すべく、適所にマトリックス方式の２次元コード１を付してなる位牌２または骨つぼ３であり、更には、前記位牌２または骨つぼ３がセラミックスであることを特徴とした２次元コード１を付してなる位牌２または骨つぼ３であり、更には、前記２次元コード１をセラミックス板４に印刷し、当該板４を位牌２または骨つぼ３に固着してなる２次元コード１を付してなる位牌２または骨つぼ３であり、更には、前記２次元コード１を、２次元コードの模様内に家紋６を入れてデザインした２次元コード１としてなる２次元コード１を付してなる位牌２または骨つぼ３であり、更には、前記２次元コード１を、故人の写真と共にセラミックス板５に印刷したことを特徴とし、当該板５を位牌２または骨つぼ３に固着してなる２次元コード１を付してなる位牌２または骨つぼ３であるから、従来は故人の情報は、個人墓にあっては墓の側面または背面、或いは集合墓にあっては霊標に俗名、没年月日等が刻設されている程度で、それ以上の故事来歴等は刻設する場所の面積等の問題もあって詳細を表示することはできなかったが、本発明にあっては、格納できる情報量が多く、数字だけでなく英字や漢字のデータも格納できる２次元コード、即ち縦横に情報をもつＱＲコードを位牌または骨つぼに付しているので、ＱＲコードは漢字、ひらがなで１．８１７文字が格納でき、故人の故事来歴は詳細に表示できる、また当該ＱＲコードの読み取りも現在ではほとんどの携帯電話で可能であり、情報は判永久的に保存でき、しかも容易に表示することが出来る。位牌または骨つぼは磁器（セラミックス）で製作されており、その表面にＱＲコードをシルクスクリーン印刷や４色分解フイルムにより印刷した後、ガラス質で表面を覆い、８００〜１２５０℃の高温で焼成しているので、磁器と印刷面が非常に硬いガラス質に覆われ、高耐久性が得られる。ＱＲコードを磁器板とした場合には軽量強化磁器としているので焼成時の変形も少なく強度も得られる。またＱＲコードについても、将来は更に情報量が増えたものが開発されるであろうし、故人の故事来歴を表示するには極めて顕著なる効果を有するばかりでなく、従来は木製の位牌を製造していた業者にとっても新規なる商品が開発されたものであり、また骨つぼ製造業者にとっても新たなる骨つぼの販路を拡大できると共に、ＱＲコードを印刷する板４、５も商品として販売することが出来る等、効果も極めて大きく産業上の利用可能性は極めて大である。
【図面の簡単な説明】
【００１６】
【図１】  ＱＲコードを付した位牌の背面図
【図２】  ＱＲコードを付した骨つぼの側面図
【図３】  ＱＲコードを付した板の平面図
【図４】  デザインＱＲコードの平面図
【図５】  ＱＲコードと故人の写真を付した板の平面図
【符号の説明】
【００１７】  １  ＱＲコード
２  位牌
３  骨つぼ
４  ＱＲコードを付した板
５  ＱＲコードと故人の写真を付した板
６  デザインＱＲコードの家紋
【図１】
2010264202.tif 000003
【図２】
2010264202.tif 000004
【図３】
2010264202.tif 000005
【図４】
2010264202.tif 000006
【図５】
2010264202.tif 000007